(57)【特許請求の範囲】
【請求項１】
元竿と、グリップと、リールと、複数のマルチと、穂持ちと、複数のジョイントリングと、トップガイドとを備え、
上記元竿は、一端部に底蓋がねじ込んであり、この一端部から所定長の範囲には上記グリップが圧入されており、当該グリップの一端部側には上記リールが着脱自在に装着してあり、
上記複数のマルチは、それぞれテーパー状の薄肉管からなり、上記元竿の他端部側から順次元竿側に位置するマルチ内に出没自在かつ収納可能に挿着してあり、上記複数のマルチのうち最先端に位置すべきマルチには、その先端部に上記トップガイドを固着してなる上記穂持ちが挿着してあり、
上記複数のジョイントリングの表面はつや消し処理を施してあり、また上記複数のジョイントリングのうちの少なくとも３個は、それぞれ上記特定のマルチが継ぎ足される上記元竿側の対応する特定のマルチに遊嵌してあるとともに、上記複数のマルチ間の各継ぎ目においてそれぞれ当該マルチの先端部に圧入可能に挿着してあり、
上記グリップに上記リールを装着し、上記穂持ち及び上記複数のマルチを順次引き出し、上記複数のマルチ間の各継ぎ目にそれぞれ対応する上記ジョイントリングを嵌め込むと、各上記ジョイントリングに設けてあるガイド部がラインガイドを構成し、
上記元竿内に上記各マルチ及び上記穂持ちを収納する時には、各マルチ及び上記穂持ちは上記元竿及び上記元竿側のマルチ内に没入し、上記各ジョイントリング及びトップガイドが上記元竿の先端部側に互いに連結状態となるように構成してある
ことを特徴とする毛鉤釣り用釣り竿。
【請求項２】
請求項１において、各上記ジョイントリングの内周面には、弾性層を形成することによりマルチ間の継ぎ目の変形による応力を吸収可能としてあることを特徴とする毛鉤釣り用釣り竿。
【請求項３】
請求項１又は請求項２のいずれかにおいて、上記ジョイントリングは先端部側の内周部にストッパ部が設けてあることを特徴とする毛鉤釣り用釣り竿。
【請求項４】
請求項１乃至請求項３のいずれかにおいて、上記マルチの中間位置に挿着してあるいずれかのマルチには弾性体からなり、上記元竿側を細くするテーパー状のズームリングが摺動自在に挿着してあることを特徴とする毛鉤釣り用釣り竿。
【請求項５】
請求項１乃至請求項４のいずれかにおいて、上記トップガイドは上記穂持ちの先端部に挿着し、加熱すると溶解する性質を有する接着剤で固定してあることを特徴とする毛鉤釣り用釣り竿。
【発明の詳細な説明】
【０００１】
【発明の属する技術分野】
本発明は、毛鉤釣り用釣竿に関するものである。
【０００２】
【従来の技術】
渓流釣りには多くの種類があるが、さらにその中で毛鉤釣りの種類としては、日本古来のいわゆるテンカラ釣りと、ヨーロッパ伝来のいわゆるフライフィッシングとがある。テンカラ釣りに用いるテンカラ竿は、グリップと一体の元竿から順にマルチを繋ぎ、最先端に位置する穂持ちまでを順次引き出して長くしたものからなり、保管時にはすべてを元竿内に収納可能となっている。穂先にはリリアンを使ったヘビ口を取り付け、これを介してテーパーラインが取り付けられるようになっている。
【０００３】
これに対しフライフィッシング用の釣り竿（以下「フライロッド」という）は、図５に示すように、元竿７１に３本のマルチ７３、７５、７７をつないで、同図（ｂ）に示すような１本のつなぎ竿としてあるとともに、元竿の基部側に圧入されたグリップ７９にリール８１を装着し、各マルチの要所にラインガイド８３（８３ａ，…８３ｊ）を設け、最先端部にトップガイド８５を取り付けたものからなる。リール８１から引き出されたテグス等のライン８７は、各ラインガイド８３を通してトップガイド８５から自由に伸縮可能となっている。このフライロッドは、竿の全長はテンカラ竿より少し短くなっている。しかし、リールによってライン８７の長さを調整可能としてあるため、毛鉤８９を任意の位置へ飛ばすことが可能であることから、人の気配に敏感な渓流魚釣りの釣り竿として適するものとなっている。
【０００４】
【発明が解決しようとする課題】
上述の通り、テンカラ釣りは、竿のズームが容易かつ収納時にはグリップと元竿の結合体だけとなるためコンパクトであるため収納や運搬に便利である。しかし竿の全長が長く、釣り場の条件により毛鉤を飛ばすポイントが異なるごとにラインを交換する必要があるため、それをするための手間がかかる難点がある。これに対しフライロッドは、毛鉤の飛距離の調節が容易にできる反面、ラインガイドが元竿やマルチに固定されている。このために、ロッドの組立て（接続）及び分解が面倒であり、複数本を束にして収納しなければならず、運搬もテンカラ竿よりは厄介なものとなっている。
【０００５】
そこで本発明の目的は、テンカラ竿とフライロッドの各長所を取り入れることにより、取り扱いが容易であるとともに毛鉤の飛距離を自在に調節可能とする毛鉤釣り用釣り竿を提供することにある。
【０００６】
【課題を解決するための手段】
上記の目的を達成するために、本発明はテンカラ竿とフライロッドとの各長所を生かした毛鉤釣り用釣り竿として以下の手段を採用し、これにより以下の作用効果を生じるようにしたものである。
【０００７】
（請求項１に記載した発明の構成）
本発明は、常に一体化して使用および保管等に供される振り竿タイプのテンカラ竿に、リール、ラインガイド、トップガイドを備えたものとすることによりフライロッドとしての機能を備えたものである。したがって主な構成要素は、元竿、グリップ、リール、複数のマルチ、穂持ち、ジョイントリング及びトップガイドを組み合わせたものとなる。
【０００８】
上記の構成において、元竿は一端部に底蓋がねじ込んであり、この一端部から所定長の範囲にはグリップが圧入されており、このグリップの一端部側には上記のリールが着脱自在に装着してあることについては、これまで使用されてきたフライロッドと変わらない。しかし、この釣り竿は振り竿タイプのテンカラ竿にフライロッドに採用されるリールを装着してあるところに特徴がある。また、テンカラ竿だからこそ元竿の一端部にねじ込んである底蓋を取り外すことによりマルチを取り出し可能としてあり、この底蓋を取り外してここからマルチを抜き出し可能としてある。また、この釣り竿は、元竿内に各マルチ及び穂持ちを収納する時には、各マルチ及び穂持ちは、元竿及び元竿側のマルチ内に没入し、各ジョイントリング及びトップガイドが元竿の先端部側に互いに連結状態となるように構成してある。ここで、マルチとは、元竿と穂持ちの中間に位置する釣り竿の中間体を指し、複数本を繋ぎ又は順次挿着可能としてあるものを指す。いずれも薄肉のテーパー管からなり、順次グリップ側に位置するマルチ内に出没可能かつ引き延ばされた状態でテーパー同士の結合によりマルチ同士を固定することにより竿本体を構成するものである。
【０００９】
また、最先端に位置すべきマルチには、先端部にトップガイドを固着してなる穂持ちが挿着してあり、これらのマルチ間の継ぎ目にはそれぞれ当該マルチの先端部に嵌合可能なジョイントリングを圧入状態に被せることができるようにしてある。ここでジョイントリングとは、各マルチを元竿側のマルチから引き出して繋ぎ合わせ状態になったときに、この継ぎ目を覆って挿着される側のマルチの先端部を所定の範囲で補強可能とするリングである。このジョイントリングにはそれぞれリールから引き出されたラインを保持するためのラインガイドを構成するガイド部を備えており、また前記ジョイントリングの表面はつや消し処理を施してある。
【００１０】
（請求項１に記載した発明の作用効果）
上記の構成は、グリップにリールを装着し、元竿から順次複数のマルチ及び穂持ちをテーパー同士の結合により停止するまで引き出し、マルチ間の各継ぎ目にジョイントリングを装着すると、リール及びラインガイドを備えた毛鉤釣り用釣り竿となる。この釣り竿は、リールの採用によりフライロッドと同様に毛鉤の飛距離を自在に調節可能としてあるので、人影に敏感な渓流魚を相手とする毛鉤釣りとしての機能を備えたものとなっている。また、釣り竿の竿本体は、元竿側の太いものから穂持ちまで順次細くなるテーパー状のマルチをそれぞれ元竿側のマルチに出没可能とするいわゆる振り竿タイプを採用することにより、テンカラ竿の長所を生かしたものとなっている。
【００１１】
上記の釣り竿は、収納時には、このような両タイプの長所を併せ持った釣り竿の実現は、リールからトップガイドまでの間でラインを保持するラインガイドの存在にあるが、これは各継ぎ目にジョイントリングを嵌め込むと、継ぎ目の補強とともに各ジョイントリングに設けてあるガイド部がラインガイドとして機能するようになっている。このマルチは、収納時には元竿側のマルチ内に没入させれば１本の棒状体となるが、これらのジョイントリングは元竿の先端部側にいずれかのマルチの細くなっている先端部近傍に遊嵌状態に連続状態となるように構成してあり、元竿の先端部に円筒状のキャップを被せることによりマルチと一体に収納可能となる。また、上記のジョイントリングの表面をつや消し処理を施して鈍い色にしてある。渓流魚は外敵に対して敏感に反応することが知られているが、ジョイントリングの光沢も警戒の対象となっているものと考えられる。そこで、ジョイントリングの光沢を失わせることにより渓流魚の警戒心を和らげるようにして釣り果の向上を図ったものである。
【００１２】
（請求項２に記載した発明の特徴）
請求項２に記載した発明の毛鉤釣り用釣り竿は、上記した複数のジョイントリングの各内周面に弾性層を形成することにより、マルチ間の継ぎ目の変形による応力を緩和するようにしてあるところに特徴がある。釣り竿には魚を釣り上げようとする時などには大きな曲げ応力が作用するが、特にマルチ間の継ぎ目は応力集中による破損の危険性を孕んでいる。したがって従来はこの部分に糸を巻き付け、あるいは弾性層を設けるなどの補強手段を採用していたが、本発明は上述の通り、弾性変形可能なジョイントリングを挿着して補強するようにしてある。しかし、この部分はジョイントリングで覆われることにより、他のマルチの部分よりも変形量が小さくなっていることからそれだけ応力は大きくなっている。そこで、この部分の補強をさらに促進するために、このリングの内周面にゴムなどの弾性層を形成することにより、ジョイントリングの挿着部分も可能な限り弾性変形を大きくして応力をさらに緩和するようにしたものである。
【００１３】
（請求項３に記載した発明の特徴）
請求項３に記載した発明は、上記のジョイントリングの先端部側の内周部にストッパ部が設けてあるところに特徴がある。このジョイントリングは、嵌め込まれる側のマルチの先端部に挿着固定されるものであるが、製作上の精度によっては、この先端部をすり抜けてしまい、上述の補強の機能を果たせず、また、ガイドの適正間隔を保持できない事態が生じかねない。そこで、この発明では、リングの先端部側の内周部にストッパ部を設け、リングを嵌め込もうとするマルチの先端部の段差に当たって元竿側へ移動不能となるようにしたものである。
【００１４】
（請求項４に記載した発明の特徴）
請求項４に記載した発明は、ズームリングを中間に位置するいずれかのマルチに挿着し、このマルチへの挿着位置によりマルチの長さを調整可能としてあるところに特徴がある。このズームリングは元竿の先端部に元竿側の後半部が挿着されることにより、当該マルチを直接元竿の先端部に固定可能となるのであるが、通常は元竿側から第２番目のマルチの先端部近傍に挿着することにより長さの調節量を大きくしてある。なお、このズームリングは当該マルチに沿って摺動可能となっており、その停止位置により釣り竿の全長をこのマルチの長さの範囲で任意に調節可能となる。ここでズームリングとは、釣り竿の全長を短く調節しようとする場合に、マルチに挿着して元竿と当該マルチとを直接つなぎ合わせることができるようにするための手段として採用されているもので、元竿側を細くするテーパー状の弾性リングである。このズームリングは、元竿の先端部に挿着することにより、第１番目のマルチからこのズームリングが装着してある位置までの範囲で長さの調節が可能となる。
【００１５】
（請求項５に記載した発明の特徴）
請求項５に記載した発明は、フライロッドの先端部に設けられるトップガイドは、穂持ちの先端部に挿着してあるが、瞬間接着剤などこれを加熱すると溶解する接着剤で固定してあるところに特徴がある。トップガイドは穂持ちの先端部に固定してあるため、これをそのまま本発明の釣り竿に採用すると、修理等のためにいずれかのマルチを元竿の一端部から抜き出そうとしても、このトップガイドが邪魔になって抜き出すことができない。そこで、これを瞬間接着剤などにより固定し、使用中は強度を維持し、分解時にはこの部分をライターなどにより加熱して容易に離反可能としたものである。この結果、元竿の一端部からすべてのマルチ及び穂持ちを引き抜き可能となる。
【００１６】
【発明の実施の形態】
本発明に係る釣り竿は、図１に示すように、従来から用いられているテンカラ竿に、リール及びラインガイドを備えたものからなる。竿本体１は、カーボンファイバー製のテーパー管からなる元竿３と、この元竿に対して出没可能に設けてある８本のマルチ５〜１９及び穂持ち２１を順次伸縮自在に継ぎ足したものからなる。穂持ち２１の先端部にはトップガイド２９が挿着固定してある。これらのマルチ５〜１９は、カーボンファイバーの薄肉テーパー管からなり、元竿側（手前側）のマルチに対して出没自在となっている。
【００１７】
元竿３内には、上述の第１マルチ５が装着してある。上記したように、このマルチ５はカーボンファイバーの薄肉テーパー管からなり、元竿に対して出没自在となっている。すなわち、各竿は先端部側を細くするテーパーとなっているため、このマルチ５を元竿３内に押し込むと容易に没入し、先端部を手でつまんで引き出すと、各マルチは先細のテーパー管になっているため、基部側が元竿の先端部近傍まで移動して来ると、徐々にきつくなり、最後に固く結合された状態となって停止する。この第１マルチ５内には、テーパー管からなり、このマルチの内径よりも外径の小さい第２マルチ７が装着してあり、このマルチも同様に手前側の竿に対して出没可能となっている。こうして第３マルチ９、第４マルチ１１、第５マルチ１３、第６マルチ１５、第７マルチ１７、第８マルチ１９及び穂持ち２１が順次手前側（元竿側）に位置するマルチ内へ出没可能かつ、引き出された状態の下ではテーパー同士の結合により停止して固定された状態となる。
【００１８】
元竿３の基部から先部へ向かう所定範囲には、この基部に嵌め込まれた厚肉のプラスチック管にめねじ（図示略）が設けあり、これには底蓋３ａがねじ込んである。この底蓋３ａは、マルチ及び穂持ちを挿着する際に着脱可能としてある。また、元竿３の外周部における基部から所定範囲には、コルク製のグリップ２３が挿着してある。なお、このグリップ２３は木製や糸を巻き付けて太くしたものとしてもよい。グリップ２３の基部側には、釣り糸（テーパーライン）３１を巻き取るリール３３が着脱自在に装着してある。このリール３３はフレーム３３ａとドラム３３ｂと装着部３３ｃとを主要素とするが、装着部をグリップの平垣になっている部分に当接し、ホルダーリング３５，３５により固定してある。なお、グリップ２３へのリール３３の取り付けは、スライド式など他の装着手段を採用してもよい。元竿３の他端部（先端部）には、プラスチック管からなる補強リング２５が挿着固定してある。この先端部には後述のズームリング２７の基端部側を挿着可能となっている。
【００１９】
第１マルチ５は、通常のテンカラ竿のマルチと同様に、ガイド等が設けてなく、全長が真っ直ぐなテーパー管で構成してあり、先端部を僅かに残して全体が元竿３内へ没入可能となっている。これは後述するように、元竿３に第２マルチ７を直接接続することにより竿の長さ調節を可能とするためである。第３マルチ９もこれと同様の構成となっているが、この第３マルチだけは先端部から５〜６ｃｍの範囲で先端部側を太くする逆テーパーとなっている。第３マルチ７のテーパーが向かいあって細くなっている部分には、元竿側を細くするテーパー状の弾性管からなるズームリング２７が所定範囲で摺動可能に挿着してある。このズームリング２７は、第３マルチ７の基部に近付くように移動すると、テーパーになっているため、移動を妨げられて停止可能となっている。また、先端部方向に移動する場合にも先端部近傍が逆テーパーとなっているため、同様に先端部近傍で停止可能として先端部から脱落不能となっている。ただし、このズームリング２７は、先端部側に押し出すように力を加えれば、弾性変形によりマルチの先端部から抜き取り可能となっている。
【００２０】
図２に示すように、このズームリング２７を第３マルチ７の所定位置に停止させ、第１マルチ５を元竿３内に没入させ、さらに第２マルチを第１マルチ内に没入させると、ズームリングの元竿側が元竿の先端部に固定してある補強リング２５の先端部側にきつく嵌合する。このため、元竿に第２マルチが直接接続された状態となる結果、第１マルチ５の長さプラス第２マルチ７の基部からズームリング２７が固定されている範囲の長さの範囲で釣り竿の全長を調節可能となっている。
【００２１】
第３マルチ９〜第８マルチ１９までの６本のマルチは、上述の通り、いずれも順次元竿側のマルチ内に没入可能なテーパー管からなり、最終的には従来のテンカラ竿と同様にすべてのマルチが元竿３内へ収納可能となっている（図１（ａ）参照）。また、第８マルチ１９の先端部に継ぎ足される穂持ち２１も同様に元竿３内に没入可能となっているが、後述の多数のジョイントリングやトップガイド２９の存在により先端部は元竿から突出した状態となっている。これらのマルチ５〜１９及び穂持ち２１を元竿３から、それぞれテーパー同士の結合により停止するまで引き出すと、全長３〜３．６ｍの釣り竿本体１ができ上がる。
【００２２】
第３マルチ９〜第８マルチ１９の範囲には、それぞれ第２マルチ７の先端部を初めとする各マルチの先端部に挿着可能なジョイントリング３７〜４５が遊嵌してある。各ジョイントリングは、それぞれ元竿側のマルチの先端部にきつく嵌め込み可能な内径を有する金属筒体からなり、外周中央部にはラインを保持しかつガイドするためのガイド部を備えている。各ジョイントリングはチタン合金や金合金などを加工したものからなり、表面につや消し処理を施して渓流魚の警戒心を和らげることを狙ってある。
【００２３】
図３は、上記のジョイントリングの例として、第２マルチ７の先端部に第１ジョイントリング３７を挿着してある状態を示したものである。このジョイントリング３７は筒状のリング本体３７ｂの外周中央部に、Ｃｏ−Ｃｒ合金など硬質の線材の両端をろう付けなどにより固着してなるガイド部３７ａを設けたものからなる。リング本体３７ｂ内周面には、厚さ約０．３ｍｍのゴムをコーティングしてなる弾性層３７ｃが形成してある。また、リング本体の先端部には突起状のストッパ部３７ｄが形成してある。
【００２４】
ジョイントリング３７は、チタン合金や金合金など錆びにくくかつ弾性変形可能な金属で薄肉筒体に製作し、マルチの最大応力が作用する先端部にこれを被せて曲げ応力を吸収可能としてある。また、上記の弾性層３７ｃは上記の応力の吸収能力をさらに向上させる働きをさせるために形成したものである。なお、先端のストッパ部３７ｄは、このリングを第２マルチの先端部に挿着した場合の行き過ぎを防止するためのものである。ガイド部３７ａは、従来のフライロッドにおけるフライガイドの役割を果たすものであるので、このガイド部は竿本体の全長にわたり適当な間隔に配置させるようにすることが望ましい。なお、これらのガイド部は図示のストレートのほか、Ｓ形にしたものなどラインの通過を容易にしたものを採用すればよい。また、これらのガイド部は、他のジョイントリングと一体になったものがマルチ間の各継ぎ目に配置される他、任意のマルチの中間位置で停止する移動リングを設けることによりラインガイドの位置調整を可能とするとよい。また、穂持ち２１の中間にガイド部４９ａを備えた移動リング４９を設け、穂持ち２１のテーパーで大径になっている部分で停止・固定するように設けるとよい。なお、移動リング４９の内径はスリーブ３０が通り抜け可能な大きさとなっている。さらにまた、元竿３のグリップ近傍に、第２移動リング５０を介してガイド部５０ａを設けたものを配置するようにしてもよい。
【００２５】
穂持ち２１は、カーボンファイバーのテーパーロッドからなり、先端部の直径は約０．６ｍｍになっている。図４に示すように、この先端部にはフライロッドのトップガイドと同様の構成のトップガイドが挿着してある。トップガイド２９は管状のアルミニウム合金を用い、挿着部２９ａの先端部にラインを通すためのガイド部２９ｂを設けたものからなる。トップガイド２９の穂持ち２１への取り付けは、この穂持ちの先端部にトップガイドと同材質かつ薄肉のスリーブ３０を圧入し、このスリーブにトップガイドの挿着部２９ａを挿着し、接着剤２９ｃにより固定してある。接着剤２９ｃとしては、加熱すると溶解する性質を有する瞬間接着剤を採用してある。このトップガイド２９を取り外す際には、ライターなどの熱源を用い、挿着部２９ａの穂持ちの先端部が挿着されていない範囲を加熱すれば、熱伝導により接着剤全体が加熱されて溶解するため、容易にトップガイド２９を分離可能となっている。
【００２６】
次に上述のごとく構成された釣り竿を用いて、実際に渓流で毛鉤釣りをする場合の竿の引き伸ばし及び収納の要領例を説明する。まず、グリップ２３にリール３３を装着し、このリールからライン３１を引き出し、各ガイド部３７ａ，…及びトップガイド２９の挿通部２９ｂを通してから、その先端部に毛鉤３３を取り付ける。次に、各マルチをそれぞれ停止するまで引き出し、各継ぎ目にジョイントリング３７，…を挿着すれば、毛鉤釣りの準備が終了する。毛鉤釣り終了後は、ラインの先端部から毛鉤を取り外し、リール３３でライン３１を巻き取った後、各マルチ及び穂持ちを元竿３内に押し込むと、各ジョイントリング３７，…が継ぎ目から離脱して、細い方のマルチに遊嵌状態となる。こうして離脱した各ジョイントリングは、第２マルチ７の先方に順番に並んだ状態となり、トップガイド２９もこれらのジョイントリングの先方に続いた状態となる。最後に元竿３から突出しているこれらのジョイントリングなどの部分に、キャップ（図示せず）を被せれば運搬や保管に適する状態となる。
【００２７】
なお、マルチなどを元竿３内に収納する際には、ズームリング２７は第２マルチ７を中間位置に固定したまま押し込むと、そこまでしか没入しないので、これを可能な限り予め先端部側へ移動させておくことが望ましい。また、これらのマルチのうち、どれかが損傷したような場合には、上述の要領でトップガイド２９を穂持ち２１から取り外した後、元竿３の基部から底蓋３ａを取り外せば、すべてのマルチ及び穂持ちを抜き出すことができるので、損傷したものを交換して元通りに収納すればよい。
【００２８】
以上の説明において、竿本体の材質をカーボンファイバーとしてあるが、材質はこれに限定する趣旨ではなくグラスファイバーや竹その他の材質であっても差し支えない。また、マルチの数も８本となっているがこの本数についても限定されない。さらに、グリップや底蓋の構成についても同様に限定されない。なお、本発明は、毛鉤釣り用の釣り竿以外の釣り竿にも適用可能である。
【００２９】
【発明の効果】
本発明によれば、基本的には従来から用いられているテンカラ竿にリール及びガイドを備え付けることにより、毛鉤の飛距離を大きくすることができるため、テンカラ竿とフライロッドとの両者の長所を兼備したものとなる。また、ラインガイドをマルチの継ぎ目を補強するためのジョイントリングと一体に設けたガイド部に代行させることにより、マルチを元竿内へ没入させる際の障碍を除去してあるので、テンカラ竿と同様にすべての竿を元竿と一体に収納可能となる。さらにまた、上記のジョイントリングを弾性体で構成すれば、曲げ応力が大きくなる継ぎ目の補強がなされる。さらにまた、ズームリングの採用により、竿体の全長を調節可能となるので、釣り場の条件に対応した竿長とすることが可能となる。最後にトップガイドを穂持ちに対して着脱自在としてあるので、いずれかの竿が損傷したような場合にも交換容易となる。
【図面の簡単な説明】
【図１】  一形態例の全体の構成を示すものであり、（ａ）は元竿以外の竿が元竿内に収納されている状態を示す一部切欠正面図、（ｂ）は、竿本体を引き伸ばした状態を示す一部切欠正面図である。
【図２】  元竿の先端部に第３マルチがズームリングを介して固定されている状態を示すものであり、（ａ）は一部切欠断面図、（ｂ）は同図（ａ）のＢ−Ｂ線断面図である。
【図３】  （ａ）はマルチ間の継ぎ目にジョイントリングが挿着されている状態を示す断面図、（ｂ）は同図（ａ）のＣ−Ｃ線断面図である。
【図４】  トップガイドの取り付け状態を示す一部切欠断面図である。
【図５】  従来例のフライドロッドを示すものであり、（ａ）は分割状態を示す一部切欠断面の正面図、（ｂ）は組み立てられた状態を示す正面図である。
【符号の説明】
１              竿本体
３              元竿
３ａ            底蓋
５〜１９        マルチ
２１            穂持ち
２３            グリップ
２５            補強部材
２７            ズームリング
２９            トップガイド
３１            ライン
３１ａ          毛鉤
３３            リール
３７〜４５      ジョイントリング
３７ａ〜４５ａ  ガイド部
３７ｃ          弾性層
３７ｄ          ストッパ部
【図１】
0003967615.tif 000002
【図２】
0003967615.tif 000003
【図３】
0003967615.tif 000004
【図４】
0003967615.tif 000005
【図５】
0003967615.tif 000006